(57)【要約】【解決手段】  スイッチ付き同軸コネクタは、絶縁ハウジングの中空部に配置されるスイッチ機構としての一対の切換手段を構成する切換バネと接続板とを備え、切換バネと接続板とは、中空部への相手ピンの挿抜方向に沿う方向に全体として延在し且つ中空部において実質的に対向する形状とされ、切換バネは、絶縁ハウジングへの固定部と、固定部から中空部内へと延びるほぼＵ字状の第１弾性腕部と、第１弾性腕部から延びるほぼ逆Ｕ字状の第２弾性腕部とからなる全体としてほぼＳ字状の弾性腕部とを有し、第２弾性腕部には、相手ピンが中空部へ挿入されていないときに、接続板と接触する接触部と、相手ピンが中空部へ挿入されるときに、相手ピンと接触する接触部とが設けられている。【効果】  アイソレーション特性を改善し且つ小型化できる。【選択図】          図４
2006066281.tif 000002
【特許請求の範囲】
【請求項１】
相手ピンを受け入れる開口部および中空部を有する絶縁ハウジングと、該絶縁ハウジングに配設され前記相手ピンとの作動に応じて中心導体としての機能を果たし得る一対の切換手段からなるスイッチ機構と、前記絶縁ハウジングの外周を包囲するようにして設けられた外部導体とを備えたスイッチ付き同軸コネクタにおいて、前記一対の切換手段は、切換バネと接続板とからなり、前記切換バネと前記接続板とは、前記開口部および中空部への前記相手ピンの挿抜方向に沿う方向に全体として延在し且つ前記中空部において実質的に対向する形状とされており、前記切換バネは、前記絶縁ハウジングへの固定部と、該固定部から前記中空部内へと延びるほぼＵ字状の第１弾性腕部と、該第１弾性腕部から延びるほぼ逆Ｕ字状の第２弾性腕部とからなる全体としてほぼＳ字状の弾性腕部とを有しており、前記第２弾性腕部には、前記相手ピンが前記中空部へ挿入されていないときに、前記接続板と接触する接触部と、前記相手ピンが前記中空部へ挿入されるときに、該相手ピンと接触する接触部とが設けられていることを特徴とするスイッチ付き同軸コネクタ。
【請求項２】
前記第１弾性腕部は、前記固定部の実装基板側から延びている請求項１に記載のスイッチ付き同軸コネクタ。
【請求項３】
前記第１弾性腕部は、前記固定部の実装基板側とは反対の側から延びている請求項１に記載のスイッチ付き同軸コネクタ。
【請求項４】
前記接続板は、実質的に平板状のものであり、前記切換バネとの接触部は、前記固定部に対して偏位した位置に形成されている請求項１または２または３に記載のスイッチ付き同軸コネクタ。
【請求項５】
前記外部導体は、前記絶縁ハウジングを包囲する上部包囲部および該上部包囲部に連接した下部接続部を有する金属ケースからなり、前記下部接続部には、実装基板の中心導体と接続する前記切換バネの接続部および前記接続板の接続部の上方を覆う庇部が形成されている請求項１または２または３または４に記載のスイッチ付き同軸コネクタ。
【請求項６】
前記絶縁ハウジングは、一体的なものとして形成されている請求項１から５のうちのいずれか１項に記載のスイッチ付き同軸コネクタ。
【請求項７】
前記絶縁ハウジングは、２つ割とされた第１絶縁ハウジング部と第２絶縁ハウジング部とを組み合わせることにより形成される請求項１から５のうちのいずれか１項に記載のスイッチ付き同軸コネクタ。
【請求項８】
相手ピンを受け入れる開口部および中空部を有する絶縁ハウジングと、該絶縁ハウジングに配設され前記相手ピンとの作動に応じて中心導体としての機能を果たし得る一対の切換手段からなるスイッチ機構と、前記絶縁ハウジングの外周を包囲するようにして設けられた外部導体とを備えたスイッチ付き同軸コネクタにおいて、前記一対の切換手段は、切換バネと接続板とからなり、前記切換バネと前記接続板とは、前記開口部および中空部への前記相手ピンの挿抜方向に沿う方向に全体として延在し且つ前記中空部において実質的に対向する形状とされており、前記切換バネは、前記絶縁ハウジングへの固定部と、該固定部から前記中空部内へ延びる弾性腕部とを有しており、前記弾性腕部には、前記相手ピンが前記中空部へ挿入されていないときに、前記接続板と接触する接触部と、前記相手ピンが前記中空部へ挿入されるときに、該相手ピンと接触する接触部とが設けられており、前記外部導体は、前記絶縁ハウジングを包囲する上部包囲部および該上部包囲部に連接した下部接続部を有する金属ケースからなり、前記下部接続部には、実装基板の中心導体と接続する前記切換バネの接続部および前記接続板の接続部の上方を覆う庇部が形成されていることを特徴とするスイッチ付き同軸コネクタ。
【発明の詳細な説明】
【技術分野】
【０００１】
本発明は、スイッチ付き同軸コネクタに関するものである。
【背景技術】
【０００２】
スイッチ付き同軸コネクタは、一般的に、中空の絶縁ハウジングと、この絶縁ハウジングの中空部にそれぞれ設けられ、相手コネクタのピン（以下、「相手ピン」と称する）を中空部に受け入れることによって、一方のみが相手ピンと接続されると共に互いの接点を切り離し中心内部導体の接続を切り換えることができる一対の切換手段から成るスイッチ機構と、絶縁ハウジングの外側に設けられ中心内部導体を同軸的に包囲する外部導体とを備える。
【０００３】
この種のスイッチ付き同軸コネクタの利用例として、アンテナの切り換えがある。例えば、携帯電話の表面にスイッチ付き同軸コネクタを開口した状態で取り付けておき、この携帯電話を自動車の所定の位置に配置することによって、携帯電話内部の内蔵アンテナから自動車の外部アンテナへの切り換えを容易に行えることができる。すなわち、通常の携帯電話の使用時には、携帯電話自体の内蔵アンテナを使用するが、自動車内で携帯電話を使用する場合には、自動車の所定位置に配置された自動車の外部アンテナへの接続用コネクタと携帯電話のスイッチ付き同軸コネクタとを接続することにより、携帯電話のアンテナは、その内蔵アンテナから自動車の外部アンテナへと切り換えられる。
【０００４】
従来公知のスイッチ付き同軸コネクタとしては、例えば、特開２０００−１１３９４８号公報に開示されたようなものがある。この公知のスイッチ付き同軸コネクタでは、互いに組み合わされることによって１つの絶縁ハウジングとして形成される２つハウジング部に絶縁ハウジングを分割しており、一対の切換手段は、それぞれ、別々のハウジング部に設けられ、それら２つのハウジング部を互いに組み合わせることによって、スイッチ付き同軸コネクタの接続組立てが行えるようにしている。
【０００５】
そのため、この公知のスイッチ付き同軸コネクタによれば、組立ての容易化、時間短縮、コスト低減を図ることができ、また、スイッチ付き同軸コネクタにおけるスイッチ機構の制度を向上させることができる等、多くの効果が得られている。
【０００６】
【特許文献１】特開２０００−１１３９４８号公報
【発明の開示】
【発明が解決しようとする課題】
【０００７】
しかしながら、前述した公知のスイッチ付き同軸コネクタは、次のような問題点を有している。すなわち、この公知のスイッチ付き同軸コネクタにあっては、スイッチ機構を構成する一対の切換手段である切換バネと接続板とがほぼ平行に配置されている。
【０００８】
この種のスイッチ付き同軸コネクタに対しても小型化の要求は高まる一方であり、小型化を追求すればする程、切換バネと接続板との間の実寸間隔は当然に狭くなるので、この公知のスイッチ付き同軸コネクタの構成では小型化するとアイソレーション特性等の電気特性の悪化を招くことになってしまうことが考えられる。
【０００９】
従って、本発明の目的は、このような問題点を解消しうるようなスイッチ付き同軸コネクタを提供することである。
【課題を解決するための手段】
【００１０】
本発明の一つの観点によれば、相手ピンを受け入れる開口部および中空部を有する絶縁ハウジングと、該絶縁ハウジングに配設され前記相手ピンとの作動に応じて中心導体としての機能を果たし得る一対の切換手段からなるスイッチ機構と、前記絶縁ハウジングの外周を包囲するようにして設けられた外部導体とを備えたスイッチ付き同軸コネクタにおいて、前記一対の切換手段は、切換バネと接続板とからなり、前記切換バネと前記接続板とは、前記開口部および中空部への前記相手ピンの挿抜方向に沿う方向に全体として延在し且つ前記中空部において実質的に対向する形状とされており、前記切換バネは、前記絶縁ハウジングへの固定部と、該固定部から前記中空部内へと延びるほぼＵ字状の第１弾性腕部と、該第１弾性腕部から延びるほぼ逆Ｕ字状の第２弾性腕部とからなる全体としてほぼＳ字状の弾性腕部とを有しており、前記第２弾性腕部には、前記相手ピンが前記中空部へ挿入されていないときに、前記接続板と接触する接触部と、前記相手ピンが前記中空部へ挿入されるときに、該相手ピンと接触する接触部とが設けられていることを特徴とするスイッチ付き同軸コネクタが提供される。
【００１１】
本発明の一つの実施の形態によれば、前記第１弾性腕部は、前記固定部の実装基板側から延びている。
【００１２】
本発明の別の実施の形態によれば、前記第１弾性腕部は、前記固定部の実装基板側とは反対の側から延びている。
【００１３】
本発明のさらに別の実施の形態によれば、前記接続板は、実質的に平板状のものであり、前記切換バネとの接触部は、前記固定部に対して偏位した位置に形成されている。
【００１４】
本発明のさらに別の実施の形態によれば、前記外部導体は、前記絶縁ハウジングを包囲する上部包囲部および該上部包囲部に連接した下部接続部を有する金属ケースからなり、前記下部接続部には、実装基板の中心導体と接続する前記切換バネの接続部および前記接続板の接続部の上方を覆う庇部が形成されている。
【００１５】
本発明のさらに別の実施の形態によれば、前記絶縁ハウジングは、一体的なものとして形成されている。
【００１６】
本発明のさらに別の実施の形態によれば、前記絶縁ハウジングは、２つ割とされた第１絶縁ハウジング部と第２絶縁ハウジング部とを組み合わせることにより形成される。
【００１７】
本発明の別の観点によれば、相手ピンを受け入れる開口部および中空部を有する絶縁ハウジングと、該絶縁ハウジングに配設され前記相手ピンとの作動に応じて中心導体としての機能を果たし得る一対の切換手段からなるスイッチ機構と、前記絶縁ハウジングの外周を包囲するようにして設けられた外部導体とを備えたスイッチ付き同軸コネクタにおいて、前記一対の切換手段は、切換バネと接続板とからなり、前記切換バネと前記接続板とは、前記開口部および中空部への前記相手ピンの挿抜方向に沿う方向に全体として延在し且つ前記中空部において実質的に対向する形状とされており、前記切換バネは、前記絶縁ハウジングへの固定部と、該固定部から前記中空部内へ延びる弾性腕部とを有しており、前記弾性腕部には、前記相手ピンが前記中空部へ挿入されていないときに、前記接続板と接触する接触部と、前記相手ピンが前記中空部へ挿入されるときに、該相手ピンと接触する接触部とが設けられており、前記外部導体は、前記絶縁ハウジングを包囲する上部包囲部および該上部包囲部に連接した下部接続部を有する金属ケースからなり、前記下部接続部には、実装基板の中心導体と接続する前記切換バネの接続部および前記接続板の接続部の上方を覆う庇部が形成されていることを特徴とするスイッチ付き同軸コネクタが提供される。
【発明を実施するための最良の形態】
【００１８】
次に、添付図面に基づいて、本発明の実施の形態および実施例について、本発明をより詳細に説明する。
【００１９】
図１は、本発明の一実施例としてのスイッチ付き同軸コネクタを斜め上方から見た斜視図であり、図２は、図１のスイッチ付き同軸コネクタを斜め下方から見た斜視図であり、図３は、図１のスイッチ付き同軸コネクタの２つ割の絶縁ハウジング部を互いに組み付けて金属ケースを被せる前の状態で示す斜視図である。これら図１から図３に示されるように、この実施例のスイッチ付き同軸コネクタ１は、全体として円柱状の絶縁ハウジング１０と、この絶縁ハウジング１０の内部に配設されるスイッチ機構を構成する一対の切換手段である切換バネ２０および接続板３０と、絶縁ハウジング１０を包囲するようにして被せられる金属ケース４０とを備える。金属ケース４０の円柱状部の外径は、この実施例では、２．８ｍｍとなっている。
【００２０】
この実施例では、絶縁ハウジング１０は、図３によく示されるように、２つ割とされ互いに組み付け合わせられるように構成された第１絶縁ハウジング部１０Ａおよび第２絶縁ハウジング部１０Ｂからなる。切換バネ２０および接続板３０は、それぞれ異なるハウジング部に取り付けられており、同軸コネクタとして組み付け合わされた際には、この同軸コネクタにおいて中心導体の機能も果たすものであり、特に、切換バネ２０は、バネ性を有する導電性金属板から打ち抜き折り曲げ加工により形成されるのが好ましい。一方、金属ケース４０は、この同軸コネクタにおいて中心導体を同軸的に取り囲む外部導体として機能する他、２つ割の第１絶縁ハウジング部１０Ａと第２絶縁ハウジング部１０Ｂとの組み付け保持を補強する機能を果たすものである。
【００２１】
次に、図４から図１１を特に参照しながら、この実施例のスイッチ付き同軸コネクタ１の各構成部分の詳細構造および機能動作について説明する。
【００２２】
図４および図５は、図１のスイッチ付き同軸コネクタ１を、プリント回路基板の如き実装基板２上に搭載した状態で、切換バネ２０および接続板３０の対向関係が分かり易いようにして示す展開断面図であり、図４は、相手ピン３が挿入されていない状態を示し、図５は、相手ピン３が挿入された状態を示している。第１絶縁ハウジング部１０Ａおよび第２絶縁ハウジング部１０Ｂの形状は、図４および図５によく示されるように、これら第１絶縁ハウジング部１０Ａと第２絶縁ハウジング部１０Ｂとを後述するようにして組み合わせることにより、頂部の中央部に相手ピン３を挿抜するための開口部１１を有し、また、内部に相手ピン３を受け入れ且つ切換バネ２０の切り換え移動を許すようにする中空部１２を有するような絶縁ハウジング１０が与えられるようなものとされている。
【００２３】
第１絶縁ハウジング部１０Ａに後述するようにして圧入取付けされる切換バネ２０は、実装基板２上に設けられた対応する中心導体にハンダ付け等により接続固定される接続部２１と、この接続部２１に連接して第１絶縁ハウジング部１０Ａの対応する圧入溝１１Ａ（図７および図８参照）に圧入固定される圧入固定部２２と、この圧入固定部２２の下端から下方且つ前方へと延びて後、上方且つ後方へと湾曲したほぼＵ字状の第１弾性腕部２３と、この第１弾性腕部２３の上端から上方へと延びて後、前方且つ下方へと湾曲したほぼ逆Ｕ字状の第２弾性腕部２４と、この第２弾性腕部２４の前方且つ下方へと延びる腕片の一方の側部に連接して前方へと延び接続板３０と接触するための接触片２５とを備える。第２弾性腕部２４の前方且つ下方へと延びる腕片は、後方へと屈曲されていて相手ピン３と接触する接触部２６を与えている。この実施例では、切換バネ２０の板幅は、０．６ｍｍ、相手ピン３の径は、０．３ｍｍとなっている。
【００２４】
一方、第２絶縁ハウジング部１０Ｂに後述するようにして圧入固定される接続板３０は、実装基板２上に設けられた対応する中心導体にハンダ付け等により接続固定される接続部３１と、この接続部３１に連接して第２絶縁ハウジング部１０Ｂの対応する圧入溝１１Ｂ（図９、図１０および図１１参照）に圧入固定される圧入固定部３２と、この圧入固定部３２の上端の一方の側から上方へと延びた接触片３３（特に、図１０参照）とを備える。接続板３０の接触片３３は、実質的に平板状であるが、切換バネ２０の接触片２５の突起部によって接触される接触部３４を与えるものである。
【００２５】
ここで、各部の詳細構造および機能について説明する前に、特に、図４および図５を参照して、このスイッチ付き同軸コネクタ１の機能動作および作用効果について説明しておく。図４に示すように相手ピン３が開口部１１を通して絶縁ハウジング１０の中空部１２内へと挿入されていないときには、切換バネ２０の第１弾性腕部２３および第２弾性腕部２４によるバネ力により切換バネ２０の接触片２５の突起部が接続板３０の接触片３３の接触部３４に押圧接触させられている。この状態では、実装基板２上に配設された中心導体は、切換バネ２０と接続板３０とを介して電気的に接続されており、この実装基板２の中心導体に関連させて実装された内部アンテナ等の素子を、その本来の目的においてアクティブに維持している。
【００２６】
一方、図５に示すように相手ピン３が開口部１１を通して絶縁ハウジング１０の中空部１２内へと挿入されるときには、相手ピン３の周辺部が切換バネ２０の接触部２６を、切換バネ２０の第１弾性腕部２３および第２弾性腕部２４による弾性偏移力に抗して後方へと押し下げることにより、切換バネ２０の接触片２５の突起部が接続板３０の接触片３３の接触部３４から離されると同時に、相手ピン３と切換バネ２０の接触部２６との押圧接触がなされることになる。この状態では、実装基板２上に配設された中心導体は、切換バネ２０と接続板３０との間にて分断され、代わりに、切換バネ２０を介して相手ピン３と電気的に接続されることになり、この実装基板２の中心導体に関連させて実装されたアンテナ等の素子を、その本来の目的から切り換えて、相手ピン３に関連した外部アンテナ等の装置または素子との関係においてアクティブなものとしている。
【００２７】
この実施例のように、切換バネ２０の全体形状をほぼＳ字状（詳しくはＳ字を左右反転させたもの）としたことにより、切換バネ２０の高さを低くし、絶縁ハウジング１０の高さ、したがって、コネクタ全体の高さを低くし小型化しても、切換バネ２０に柔らかさのある十分なバネ性を与えることができ、しかも、図５に示すような切換バネ２０と接続板３０との分離状態において、切換バネ２０と接続板３０との間の分離距離Ｄを大きくとることができる。このように、切換バネ２０と接続板３０とが分離し、相手ピン３と切換バネ２０とが接触した状態において、切換バネ２０と接続板３０との間隔を全体として大きくとれることは、相手ピン３と切換バネ２０とを中心導体として機能する同軸コネクタ１のアイソレーション特性が改善されることになる。少なくとも接続板３０と対向する切換バネ２０の面の一部分が間隔を大とすることができるのでアイソレーション特性が改善されることになるし、特に相手ピン３が図５の程度の挿入位置であるならば、接触する第２弾性腕部２５の下方が略三角形状に接続板３０との間隔がとれるのでアイソレーション特性は改善されるし、相手ピン３が下方に深く挿入された場合であっても該ピンの幅が切換バネ以下であれば改善効果は生じるし、ピンが柱状であれば径が太くとも改善効果は生じる。
【００２８】
次に、特に図６から図８を参照して、第１絶縁ハウジング部１０Ａの詳細構造および切換バネ２０の詳細形状、並びに、第１絶縁ハウジング部１０Ａに対する切換バネ２０の取付け態様について説明する。図６は、第１絶縁ハウジング部１０Ａに対して切換バネ２０を取り付けた状態を示す展開断面図であり、図７は、第１絶縁ハウジング部１０Ａに対して切換バネ２０を取り付けた状態を示す正面図である。これら図６および図７に示されるように、第１絶縁ハウジング部１０Ａは、全体として半円柱状とされているが、前述したように第２絶縁ハウジング部１０Ｂと組み合わされたときに、開口部１１を作り出すための半円状の切欠き部１１Ａを頂部に、中空部１２を作り出すための凹所１２Ａを中間部に有している。また、第１絶縁ハウジング部１０Ａは、底部近くの内壁に切換バネ２０の圧入固定部２２を圧入するための圧入溝１３Ａを有し、第１絶縁ハウジング部１０Ａの底部は、切換バネ２０を圧入溝１３Ａへと圧入できるようにするための開放端１４Ａとされている。また、第１絶縁ハウジング部１０Ａの外周底面には、切換バネ２０の接続部２１を引き出すための引出し凹部１５Ａが形成されている。さらにまた、図７によく示されるように、第１絶縁ハウジング部１０Ａの第２絶縁ハウジング部１０Ｂとの組み合わせ端面の上部には、係合凸部１６Ａが形成されている。
【００２９】
また、図７によく示されるように、切換バネ２０の圧入固定部２２および第１弾性腕部２３および第２弾性腕部２４は、第１絶縁ハウジング部１０Ａの実質的に縦中心線にそって位置するが、接触片２５および接続部２１は、その縦中心線から側方にずれた位置とされている。このような切換バネ２０の接触片２５等の偏位構成は、後述する接続板３０の接触片３４等の偏位構成とあいまって同軸コネクタの切換時におけるアイソレーション特性の改善に寄与する。
【００３０】
図８は、第１絶縁ハウジング部１０Ａと切換バネ２０とを対峙させた状態を示している。この図８に示すような状態から、切換バネ２０の圧入固定部２２が第１絶縁ハウジング部１０Ａの圧入溝１３Ａへと押し込まれるようにして、切換バネ２０の全体を第１絶縁ハウジング部１０Ａの開放端１４Ａを通して、凹所１２Ａ内に収められるようにすることにより、切換バネ２０は第１絶縁ハウジング部１０Ａに対して組み付けられる。図６は、このような組み付け状態を示している。
【００３１】
次に、特に図９から図１１を参照して、第２絶縁ハウジング部１０Ｂの詳細構造および接続板３０の詳細形状、並びに、第２絶縁ハウジング部１０Ｂに対する接続板３０の取付け態様について説明する。図９は、第２絶縁ハウジング部１０Ｂに対して接続板３０を取り付けた状態を示す展開断面図であり、図１０は、第２絶縁ハウジング部１０Ｂに対して接続板３０を取り付けた状態を示す正面図である。これら図９および図１０に示されるように、第２絶縁ハウジング部１０Ｂは、全体として半円柱状とされているが、前述したように第１絶縁ハウジング部１０Ａと組み合わされたときに、開口部１１を作り出すための半円状の切欠き部１１Ｂを頂部に、中空部１２を作り出すための凹所１２Ｂを中間部に有している。また、第２絶縁ハウジング部１０Ｂは、底部近くの内壁に接続板３０の圧入固定部３２を圧入するための圧入溝１３Ｂを有し、第２絶縁ハウジング部１０Ｂの底部には、第１絶縁ハウジング部１０Ａと組み合わされたときにその開放端１４Ａを塞ぐための蓋部１４Ｂが形成されている。また、第２絶縁ハウジング部１０Ｂの外周底面には、接続板３０の接続部３１を引き出すための引出し凹部１５Ｂが形成されている。さらにまた、図１０によく示されるように、第２絶縁ハウジング部１０Ｂの第１絶縁ハウジング部１０Ａとの組み合わせ端面の上部には、係合凹部１６Ｂが形成されている。この係合凹部１６Ｂは、第１絶縁ハウジング部１０Ａとの組み合わせ時において、第１絶縁ハウジング部１０Ａの係合凸部１６Ａと嵌合し、その組み合わせ状態を保持する機能を果たす。
【００３２】
また、図１０によく示されるように、接続板３０の圧入固定部３２および接続部３１は、第２絶縁ハウジング部１０Ｂの実質的に縦中心線にそって位置するが、接触片３４は、対をなす切換バネ２０の接続部２６近傍位置からその縦中心線から側方にずれた位置とされている。このような接続板３０の接触片３４等の偏位構成は、後述する切換バネ２０の接触片２５等の偏位構成とあいまって同軸コネクタの切換時におけるアイソレーション特性の改善に寄与する。
【００３３】
図１１は、第２絶縁ハウジング部１０Ｂと接続板３０とを対峙させた状態を示している。この図１１に示すような状態から、接続板３０の圧入固定部３２が第２絶縁ハウジング部１０Ｂの圧入溝１３Ｂへと押し込まれるようにして、接続板３０の全体を第２絶縁ハウジング部１０Ｂの底部を通して、凹所１２Ｂ内に収められるようにすることにより、接続板３０は第２絶縁ハウジング部１０Ｂに対して組み付けられる。図９は、このような組み付け状態を示している。
【００３４】
この実施例のスイッチ付き同軸コネクタ１の組立ては、図６に示したように第１絶縁ハウジング部１０Ａに対して切換バネ２０を圧入により組み付け、また、図９に示したように第２絶縁ハウジング部１０Ｂに対して接続板３０を圧入により組み付けておく。それから、第１絶縁ハウジング部１０Ａと第２絶縁ハウジング部１０Ｂとを、第１絶縁ハウジング部１０Ａの係合凸部１６Ａが第２絶縁ハウジング部１０Ｂのそれぞれ対応する係合凹部１６Ｂに嵌合するようにして、互いに組み合わせる。最後に、前述したようにして組み合わされた第１絶縁ハウジング部１０Ａおよび第２絶縁ハウジング部１０Ｂからなる絶縁ハウジング１０の外周に対して、金属ケース４０を絶縁ハウジング１０の頂部から被せるようにして組み付ける。このとき、絶縁ハウジング１０の内部に形成される中空部１２の底部は、第２絶縁ハウジング部１０Ｂの蓋部１４Ｂによって閉塞され、中空部１２への塵埃等の侵入を防止する構成とされている。図１、図２、図４および図５は、このようにして組立て完了した状態を示している。
【００３５】
次に、この実施例における金属ケース４０の具体的構造について説明する。この実施例における金属ケース４０は、図１および図２の斜視図によく示されるように、全体として円筒状の上部包囲部４１と、この上部４１に連接した全体として矩形状の下部接続部４２とを有する。上部包囲部４１は、絶縁ハウジング１０の外周を包囲する形状とされており、その頂部は、絶縁ハウンジング１０の開口部１１を開放すべく開口４１Ａとされている。一方、下部接続部４２は、絶縁ハウジングの平面方向の領域よりも大きく形成され、中心導体の接続部２１、３１の延出方向は後述する庇部４２Ｂとなり、該延出方向に直交する方向はより長くなっており、絶縁ハウジングを囲うように略コ字状に折り曲げて絶縁ハウジングを保持すると共に、同軸コネクタ１が実装基板２上に搭載されたときに実装基板２上に配設された外部導体またはグランド導体にハンダ付け等により接続される接続脚部４２Ａとなり、これら接続脚部４２Ａの間、すなわち、中心導体の接続部２１、３１の延出方向には、該接続部と空間を空けて延在する庇部４２Ｂとを有する。この庇の作り方として、絶縁ハウジングに長辺と短辺を設け、金属ケースを正方形としてもよい。
【００３６】
金属ケース４０に設けた庇部４２Ｂは、図４によく示されるように、このスイッチ付き同軸コネクタ１を実装基板２上に実装した状態において、実装基板２の中心導体に接続された切換バネ２０の接続部２１および接続板３０の接続部３１の上を覆うものとされている。このような庇部４２Ｂを設けることの効果について次に説明する。通常、基板の実装部分のフットパターンは伝送ラインより細い設計になっている（両側にグランドがあり小型のため中心端子が細くなる）。このため、大幅にインピーダンスが高くなり、反射特性が悪くなってしまうことが考えられる。しかし、実装部を金属ケース４０の庇部４２Ｂで覆うことで、インピーダンスが極端に高くなることを防止し、反射特性を改善することができる。また、細く延びる接続部２１、３１を保護することもできる。
【００３７】
図１２は、本発明の別の実施例としてのスイッチ付き同軸コネクタを示す図４と同様の展開断面図である。前述した実施例では、絶縁ハウジングを、二つ割とした第１絶縁ハウジング部と第２絶縁ハウジング部とを組み合わせることで構成するものとしていたのであるが、この図１２の実施例では、絶縁ハウジングを二つ割とせずに、一体的な絶縁ハウジングとしている。絶縁ハウジング１０を一体なものとしたので、切換バネ２０および接続板３０を絶縁ハウジング１０に対して圧入し易くする関係で、絶縁ハウジング１０の中空部１２の底部は開放された形状とされている。これ以外の構成については、前述した実施例のものと同様であるので、図１２においては対応する構成部分には図４において用いた参照符号と同じ参照符号を付して示し、これ以上は繰り返し説明しない。
【００３８】
図１３は、切換バネ２０の別の形態を例示する図である。この図１３の切換バネ２０においては、前述の実施例における切換バネ２０の第１弾性腕部２３が圧入固定部２２の下端（実装基板２の側）から延びているのと違って、第１弾性腕部２３は、圧入固定部２２の上端（実装基板２の反対側）から延びる形状とされている。
【００３９】
図１４は、切換バネ２０のさらに別の形態を例示する図である。この１４の切換バネ２０においては、前述の実施例における切換バネ２０の第１弾性腕部２３が圧入固定部２２の下端から下方且つ前方へと延びているのと違って、第１弾性腕部２３は、圧入固定部２２の上端から下方且つ後方へと延びて後、前方且つ上方へと湾曲する形状とされている。また、前述の実施例では切換バネ２０の側に接触片２５を設けていたのであるが、さらに別の変形例として、接触片２５は、切換バネ２０の側に設ける代わりに、接続板３０の側に設けてもよい。
【産業上の利用可能性】
【００４０】
本発明によれば、スイッチ付き同軸コネクタの切換時におけるアイソレーション特性を改善することができる。
【００４１】
本発明によれば、省スペースでバネ長を長くとれることから、一層の小型が図れる。
【００４２】
金属ケースの構造を工夫することにより、実装部における反射特性を改善することができる。
【００４３】
このような作用効果が得られることからして、本発明のスイッチ付き同軸コネクタは、産業上の利用可能性の高いものである。
【図面の簡単な説明】
【００４４】
【図１】本発明の一実施例としてのスイッチ付き同軸コネクタを斜め上方から見た斜視図である。
【図２】図１のスイッチ付き同軸コネクタを斜め下方から見た斜視図である。
【図３】図１のスイッチ付き同軸コネクタの２つ割も絶縁ハウジング部を互いに組み付けて金属ケースを被せる前の状態で示す斜視図である。
【図４】図１のスイッチ付き同軸コネクタを実装基板上に搭載した状態を示す展開断面図である。
【図５】図４と同様の図であるが相手ピンが嵌合しているところを示す展開断面図である。
【図６】図１のスイッチ付き同軸コネクタにおける第１絶縁ハウジング部に対して切換バネを取り付けた状態を示す展開断面図である。
【図７】図１のスイッチ付き同軸コネクタにおける第１絶縁ハウジング部に対して切換バネを取り付けた状態を示す正面図である。
【図８】図１のスイッチ付き同軸コネクタにおける第１絶縁ハウジングと切換バネとを対峙させた状態を示す図である。
【図９】図１のスイッチ付き同軸コネクタにおける第２絶縁ハウジング部に対して接続板を取り付けた状態を示す展開断面図である。
【図１０】図１のスイッチ付き同軸コネクタにおける第２絶縁ハウジング部に対して接続板を取り付けた状態を示す正面図である。
【図１１】図１のスイッチ付き同軸コネクタにおける第２絶縁ハウジングと接続板とを対峙させた状態を示す図である。
【図１２】本発明の別の実施例としてのスイッチ付き同軸コネクタを示す図４と同様の展開断面図である。
【図１３】本発明のスイッチ付き同軸コネクタにおける切換バネの別の形態を示す図である。
【図１４】本発明のスイッチ付き同軸コネクタにおける切換バネのさらに別の形態を示す図である。
【符号の説明】
【００４５】
１  スイッチ付き同軸コネクタ
２  実装基板
３  相手ピン
１０  絶縁ハウジング
１１  開口部
１２  中空部
１０Ａ  第１絶縁ハウジング部
１１Ａ  切欠き部
１２Ａ  凹所
１３Ａ  圧入溝
１４Ａ  開放端
１５Ａ  引出し凸部
１６Ａ  係合凹部
１０Ｂ  第２絶縁ハウジング部
１１Ｂ  切欠き部
１２Ｂ  凹所
１３Ｂ  圧入溝
１４Ｂ  蓋部
１５Ｂ  引出し凹部
１６Ｂ  係合凹部
２０  切換バネ
２１  接続部
２２  圧入固定部
２３  第１弾性腕部
２４  第２弾性腕部
２５  接触片
２６  接触部
３０  接続板
３１  接続部
３２  圧入固定部
３３  接触片
３４  接触部
４０  金属ケース
４１  上部包囲部
４１Ａ  開口
４２  下部接続部
４２Ａ  接続脚部
４２Ｂ  庇部
【図１】
2006066281.tif 000003
【図２】
2006066281.tif 000004
【図３】
2006066281.tif 000005
【図４】
2006066281.tif 000006
【図５】
2006066281.tif 000007
【図６】
2006066281.tif 000008
【図７】
2006066281.tif 000009
【図８】
2006066281.tif 000010
【図９】
2006066281.tif 000011
【図１０】
2006066281.tif 000012
【図１１】
2006066281.tif 000013
【図１２】
2006066281.tif 000014
【図１３】
2006066281.tif 000015
【図１４】
2006066281.tif 000016